(57)【要約】    磁気刺激治療システムに使用されるコイル装置は，コイルハウジングと，ケーブルハウジングと，前記コイルハウジングの内部空間と前記ケーブルハウジングの内部空間を連通する連通路と，前記コイルハウジングに収容されたコイル導体からなるコイルと，前記ケーブルハウジングを貫通して前記ケーブルハウジングの外部から内部に引き込まれ，前記コイル導体の両端と電気的に接続された一対の導線を備えており，前記ケーブルハウジングは，前記コイルハウジングに一体的に連結された固定ハウジング部分と，所定の軸を中心に前記固定ハウジング部分に対して回転可能に連結された回転ハウジング部分を有し，前記一対の導線は，前記回転ハウジング部分を貫通している。
2016171131.tif 000002
【特許請求の範囲】
【請求項１】
磁気刺激治療システムに使用されるコイル装置であって，
コイルハウジングと，
ケーブルハウジングと，
前記コイルハウジングの内部空間と前記ケーブルハウジングの内部空間を連通する連通路と，
前記コイルハウジングに収容されたコイル導体からなるコイルと，
前記ケーブルハウジングを貫通して前記ケーブルハウジングの外部から内部に引き込まれ，前記コイル導体の両端と電気的に接続された一対の導線を備えており，
前記ケーブルハウジングは，前記コイルハウジングに一体的に連結された固定ハウジング部分と，所定の軸を中心に前記固定ハウジング部分に対して回転可能に連結された回転ハウジング部分とを有し，
前記一対の導線は，前記回転ハウジング部分を貫通していることを特徴とするコイル装置。
【請求項２】
前記一対の導線と前記コイル導体の両端は，前記コイルハウジングの内部又は前記ケーブルハウジングの内部で接続されていることを特徴とする請求項１のコイル装置。
【請求項３】
前記一対の導線の前記ケーブルハウジングの内部に位置する内側導線部分は，前記軸を中心とする周方向に配置されていることを特徴とする請求項１又は２のコイル装置。
【請求項４】
前記一対の導線の前記ケーブルハウジングの内部に位置する内側導線部分は，前記軸を中心とする一つの周方向に配置されていることを特徴とする請求項３のコイル装置。
【請求項５】
前記内側導線部分は，前記軸を中心とする円周方向に一周以上巻かれていることを特徴とする請求項３又は４のコイル装置。
【請求項６】
前記所定の軸は，前記ケーブルハウジングの中心に位置することを特徴とする請求項１〜５のいずれか１項に記載のコイル装置。
【請求項７】
前記ケーブルハウジングの内部に位置する内側導線部分は，所定の軸を中心としてらせん状に伸びていることを特徴とする請求項６に記載のコイル装置。
【請求項８】
前記ケーブルハウジングは，前記回転ハウジング部分の回転角度を所定範囲に規制する規制部を有することを特徴とする請求項１〜７のいずれか１項に記載のコイル装置。
【請求項９】
前記所定範囲が１８０度以下であることを特徴とする請求項８に記載のコイル装置。
【請求項１０】
前記コイルは一本の導体又は平行に配置された複数の導体からなることを特徴とする請求項１〜９のいずれか１項に記載のコイル装置。
【請求項１１】
前記一対の導線は，前記一対の導線の周囲に配置されたシールドを有することを特徴とする請求項１０に記載のコイル装置。
【請求項１２】
前記一対の導線の前記ケーブルハウジングの外部に位置する外側導線部分は絶縁シースに覆われていることを特徴とする請求項１〜１１のいずれか１項に記載のコイル装置。
【請求項１３】
前記外側導線部分はブッシュを介して前記ケーブルハウジング部分に固定されていることを特徴とする請求項１２に記載のコイル装置。
【請求項１４】
前記コイルハウジングが，螺旋状の溝を有し，
前記溝に沿って螺旋状に配置されたコイルを備えていることを特徴とする，請求項１〜１３のいずれか１項に記載のコイル装置。
【請求項１５】
前記コイルは，前記溝の深さ方向に重ねて配置された第１と第２の導体を有することを特徴とする，請求項１４に記載のコイル装置。
【請求項１６】
前記第１の導体と前記第２の導体は四角形断面を有することを特徴とする請求項１５に記載のコイル装置。
【請求項１７】
前記溝は，前記溝の深さ方向に重ねて配置された前記第１の導体と前記第２の導体に対応する四角形断面を有することを特徴とする請求項１５又は１６に記載のコイル装置。
【請求項１８】
前記螺旋状の溝は所定の曲面に沿って形成されていることを特徴とする請求項１４〜１７のいずれか１項に記載のコイル装置。
【請求項１９】
前記曲面は球面であることを特徴とする請求項１４〜１８のいずれか１項に記載のコイル装置。
【請求項２０】
前記溝と前記コイルの隙間に充填された絶縁性の樹脂を備えていることを特徴とする請求項１４〜１９のいずれか１項に記載のコイル装置。
【請求項２１】
前記コイルハウジング部と前記ケーブルハウジング部の間に前記樹脂が充填されていることを特徴とする請求項２０に記載のコイル装置。
【請求項２２】
前記コイルは表面に絶縁被覆の無い導体で構成されていることを特徴とする請求項１〜２１のいずれか１項に記載のコイル装置。
【請求項２３】
前記コイルハウジング部又は前記ケーブルハウジング部の少なくともいずれか一方に，
前記樹脂の充填口が形成されていることを特徴とする請求項２０〜２２のいずれか１項に記載のコイル装置。
【請求項２４】
前記ケーブルハウジングの内部に位置する前記コイル導体の両端部分と，前記ケーブルハウジングの内部に位置する導線の一部であって少なくとも前記コイル導体の両端部分に電気的に接続される両端導線部分は，前記ケーブルハウジングの内部に充填された絶縁材料の樹脂に囲まれて固定されていることを特徴とする請求項１〜２３のいずれか１項に記載のコイル装置。
【請求項２５】
前記ケーブルハウジング内部に位置する前記コイル導体の両端部分は第１の樹脂で固定されており，前記ケーブルハウジングの内部に位置する前記導線の一部であって少なくとも前記コイル導体の両端部分に電気的に接続される両端導線部分は，第２の樹脂で固定されており，前記第２の樹脂は前記第１の樹脂よりも柔らかいことを特徴とする請求項２０〜２４のいずれか１項に記載のコイル装置。
【請求項２６】
前記導線部分は，前記コイル導体の両端と接続する前記樹脂に固定された固定部分に続いて前記樹脂に固定されていない自由部分があり，前記自由部分は弾性部材によって保持されていることを特徴とする請求項２０〜２５のいずれか１項に記載のコイル装置。
【請求項２７】
請求項１〜２６のいずれか１項に記載のコイル装置を備えたことを特徴とする磁気刺激治療システム。
【発明の詳細な説明】
【技術分野】
【０００１】
本発明は，反復経頭蓋磁気刺激治療システムに使用されるコイル装置に関する。本発明はまた，そのコイル装置を備えた磁気刺激治療システムに関する。
【背景技術】
【０００２】
反復経頭蓋磁気刺激法は，神経等の脳の特定部位に非侵襲的に磁気刺激を加えることにより，脳卒中の疼痛等の神経疾患やうつ病，アルツハイマー病等に対する治療，症状の緩和や改善を図ることができる治療である。この反復経頭蓋磁気刺激法は，患者の頭皮表面の特定位置に励磁コイル等の磁気発生手段を配置し，磁気発生手段から患者の脳の特定部位に対して磁気刺激を行う。具体的な手法として，特許文献１，２には，患者の頭皮表面に設置したコイルユニットに電流を流して局所的に微小なパルス磁場を生じさせ，電磁誘導の原理を利用して頭蓋内に渦電流を起こすことにより，コイルユニット直下の脳内神経に刺激を与えることが開示されている。【０００３】
効果的な磁気刺激治療を行うためには，治療内容に応じた適当な場所に磁気刺激コイルを配置する必要がある。そのために，実際の治療に先立って，磁気刺激コイルを患者の頭表面に沿って動かし，最適なコイル位置を決定する必要がある。また，実際の治療時には，予め決められた最適なコイル位置にコイルを設置する必要がある。しかし，磁気刺激コイルにはこれに高周波電流を印加するためのケーブルが接続されており，コイルの位置や角度を変えようとするとその動きがケーブルによって制限され，思い通りの位置や角度に刺激コイルを設定し難いという問題がある。また，ケーブルが自由に動けるスペースを確保しようとすれば，システムの大型化に繋がるという問題がある。
【先行技術文献】
【特許文献】
【０００４】
【特許文献１】特開２０１２−１２５５４６号公報
【特許文献２】ＷＯ２０１０／１４７０６４号明細書
【発明の概要】
【発明が解決しようとする課題】
【０００５】
そこで，本発明は，磁気刺激コイルの位置調整や角度調整がケーブルによって制約を受けることのないコイル装置，及びそのコイル装置を備えた磁気刺激システムを提供することを目的とする。
【課題を解決するための手段】
【０００６】
この目的を達成するため，本発明の一つの形態は，
磁気刺激治療システムとともに使用されるコイル装置であって，
コイルハウジングと，
ケーブルハウジングと，
前記コイルハウジングの内部空間と前記ケーブルハウジングの内部空間を連通する連通路と，
前記コイルハウジングに収容されたコイル導体からなるコイルと，
前記ケーブルハウジングを貫通して前記ケーブルハウジングの外部から内部に引き込まれ，前記コイルの両端と電気的に接続された一対の導線を備えており，
前記ケーブルハウジングは，前記コイルハウジングに一体的に連結された固定ハウジング部分と，所定の軸を中心に前記固定ハウジング部分に対して回転可能に連結された回転ハウジング部分とを有し，
前記一対の導線は，前記回転ハウジング部分を貫通していることを特徴とする。
【発明の効果】
【０００７】
本形態によれば，一対の導線が接続された回転ハウジング部分は，固定ハウジング部分に対して軸を中心に回転できるため，コイル装置の方向を変えてもその変化を回転ハウジング部分の回転に吸収できる。したがって，コイル装置の動きが導線によって制約を受けることがないので，治療部位に応じてコイル装置を自由に回転できる。
【図面の簡単な説明】
【０００８】
【図１】本発明に係る経頭蓋磁気刺激システムの全体構成を示す斜視図。
【図２】図１のシステムに使用されるコイルユニットの斜視図。
【図３】コイルの斜視図。
【図４】ケーブルハウジングの断面図。
【図５】ケーブル導線とコイル導体の接続状態を示すコイルハウジング部の平面図。
【図６】上部ケーブルハウジングを除いたコイルユニットの斜視図。
【図７】ケーブルハウジングの内部に樹脂が充填された状態を示すコイルハウジング部の平面図。
【図８】ケーブル導線案内ブロックの側面図［図８（ａ）］と斜視図［図８（ｂ）］。
【図９】１本の導体からなるコイル及びコイルユニットの部分拡大断面図。
【図１０】２本の導体からなるコイル及びコイルユニットの部分拡大断面図。
【発明を実施するための形態】
【０００９】
以下，添付図面を参照して本発明に係るコイル装置及び経頭蓋磁気刺激システムの実施形態を説明する。
【００１０】
以下の説明では、「上」，「下」などの方向を意味する用語を使用するが、それは添付図面を参照した発明の理解を容易にするためであって、それらの用語はコイル装置又は経頭蓋磁気刺激システムの実際の使用状態を示すものでない。したがって，本発明の技術的範囲は，これらの用語によって限定的に解釈されるべきでない。
【００１１】
図１を参照すると，実施形態の経頭蓋磁気刺激システム（以下，単に「システム」という。）１は，患者２を支持する患者支持機構（支持部）３を有する。実施形態では，患者支持機構３は椅子であるが，これに代えてベッドであってもよい。システム１はまた，患者支持機構３に支持された患者２の脳に反復磁気刺激を与える磁気刺激装置４を有する。磁気刺激装置４は，動磁場を形成するためのコイル１１（図３に詳細な形状を示す。）を内蔵したコイルユニット（コイル装置）５と，コイルに印加される高周波電流を制御する制御ユニット６を有する。コイルユニット５は，患者２の頭部表面に沿って任意の位置に自由に移動できるとともに任意の位置に位置決めできるように，適当な位置決め機構７を含む支持機構８に支持されている。
【００１２】
コイルユニット５と制御ユニット６は可撓性のケーブル１０によって接続されている。ケーブル１０は，例えば，コイルに高周波電流を供給するための一対の導線１２（図２参照）を含む。ケーブル１０はまた，導線１２を囲むシールド６１を含む。したがって，ケーブル内の導線１２に高周波電流を印加しても，外部に電気的ノイズが放出されて周辺機器に障害を及ぼすことはない。ケーブル１０には，コイルユニット５に内蔵された機器の信号線を含めても良い。機器と信号線には，例えば，コイルユニット５に内蔵された温度検出器（図示せず）と制御ユニット６を接続する電線が含まれる。
【００１３】
図２に示すように，実施形態では，コイルユニット５は，コイルハウジング１３とケーブルハウジング１４を有する。コイルハウジング１３はコイル１１を収容する。図３に示すように，コイル１１は，導体を２つの渦巻き状に配置した偏心渦巻き８字コイル（蝶々型コイル）で，螺旋状に巻回された螺旋部１５がコイルハウジング１３に収容される。図２に戻り，ケーブルハウジング１４は，ケーブル先端部（図５に示すケーブル導線５４，５５）と，これに電気的に接続されるコイル１１の導体端部（図５に示す導体端部１６ａ，１６ｂ）を収容する。
【００１４】
コイルハウジング１３は，電気絶縁材料で構成されており，コイル１１の下面を覆う下部コイルハウジング部１８と，コイル１１の上面を覆う上部コイルハウジング部１９からなる。下部コイルハウジング部１８の上面と上部コイルハウジング部１９の下面のそれぞれにコイルの外形に対応した螺旋状の形状２１，２２（図９参照）が付与されており，これらの形状２１，２２の間に螺旋状のコイル収容空間２３が形成されている。下部コイルハウジング部１８の下面は，人の頭表面の形状に似た三次曲面によって形成されている。曲面は，空間上のある点からの距離が一定の完全な凹状球面と，人の頭表面のようにその距離が一定でない不完全な凹状曲面のいずれであってもよい。これに対応して，螺旋部１５は，下部コイルハウジング部１８の曲面に沿って形成されている。なお，下部コイルハウジング部１８の下面を平面に形成するとともに，螺旋部１５を下部コイルハウジング部１８の平面に沿って形成してもよい。
【００１５】
図２に示すように，ケーブルハウジング１４は，上下方向の軸２５を有する略円筒形をしており，電気絶縁材料からなる、下部ケーブルハウジング部２６と上部ケーブルハウジング部２７によって構成されている。実施形態では，下部ケーブルハウジング部２６がコイルハウジング１３の上部コイルハウジング部１９に一体的に形成されている。実施形態ではまた，上部ケーブルハウジング部２７は，後述するように，軸２５を中心に，下部ケーブルハウジング部２６に対して回転可能に連結されている。
【００１６】
図９に示すように，コイル１１は，下部コイルハウジング部１８と上部コイルハウジング部１９の間に形成されたコイル収容空間２３に収容されている。実施形態では，下部コイルハウジング部１８の上面に形成された形状２２は，偏心渦巻き８字コイル１１に対応した螺旋溝２８を有し，そこにコイル１１が収容されている。
【００１７】
下部コイルハウジング部１８及び上部コイルハウジング部１９とコイル１１との間に存在する隙間２９（例えば，０．１〜１．０ｍｍ程度の隙間）には，絶縁材料の樹脂３０が充填される。隙間２９に充填された樹脂によって導線のジュール熱が樹脂を介して効率良く放散される。これにより，隙間２９に空気が残存する場合に比べて，高いコイルの冷却効果が得られる。樹脂の充填口は，上部コイルハウジング部１９又は下部コイルハウジング部１８若しくはそれらの両方に形成される。実施形態では，後述するように，図５に示す連通口２０が充填口として機能する。好ましい樹脂は，流動性と固着性が高いエポキシ系又はポリエステル系の樹脂である。放熱性が重視される場合，熱伝導性に優れた樹脂を用いることが好ましい。
【００１８】
本実施形態では，コイル１１は，四角形断面を有する１本の導体３１で構成されている。図１０に示すように，四角形断面を有する２本の導体３２を平行に配置して（上下に重ねて）構成してもよい。この場合，１本の導体３１で構成する場合に比べて表皮抵抗が減少するため，より効率良く高周波電流をコイルに流すことができる。また，導体を上下に重ねることにより，コイル１１の占有面積は１本の導体からなるコイルと同じになる。導体の数に拘わらず，樹脂の充填性及び絶縁性の点から，四角形断面の導体３１は，その角部を面取し，導体の周囲に樹脂がスムーズに流れ込むようにすることが好ましい。
【００１９】
実施形態では，コイルハウジング１３を下部コイルハウジング部１８と上部コイルハウジング部１９に分割するとともに、下部ケーブルハウジング部２６を上部コイルハウジング部１９に一体化しているため、コイルハウジング１３に対してコイル導体３１，３２が効率良く配置される。
【００２０】
また、硬い金属のコイル導体を螺旋溝２８に配置する作業は非常に手間のかかる作業であるが，実施形態では，下部ケーブルハウジング部２６は上部コイルハウジング部１９に一体化されているので，下部コイルハウジング部１８の螺旋溝２８にコイル導体３１，３２を配置するにあたって下部ケーブルハウジング部２６が邪魔になることがない。
【００２１】
実施形態では，図４に示すように，下部ケーブルハウジング部２６は，軸２５を中心とする外周円筒壁３３と，該外周円筒壁３３の下端を塞ぐ底壁３４を有する。上部ケーブルハウジング部２７は，軸２５を中心とする外周円筒壁３５と，該外周円筒壁３５の上端を塞ぐ天井壁３６を有する。下部ケーブルハウジング部２６と上部ケーブルハウジング部２７は，上部ケーブルハウジング部２７が軸２５を中心に回転可能に，下部ケーブルハウジング部２６に組み付けられて，それらの内側にケーブル収容空間３７が形成される。
【００２２】
上述のように，下部ケーブルハウジング部２６は上部コイルハウジング部１９に一体的に形成される。図５に示すように，下部ケーブルハウジング部２６と上部コイルハウジング部１９が一体化された領域には，両ハウジング部２６，１９が隣接する領域に，ケーブル収容空間３７とコイル収容空間２３を連通する連通口（連通路）２０が形成されており，この連通口２０を介して，コイル収容空間２３からケーブル収容空間３７に，コイル導体の両端部分（導体端部１６ａ，１６ｂ）が引き出されている。
【００２３】
上述のように，連通口２０は，ケーブル収容空間３７とコイル収容空間２３を連通しているため，ケーブル収容空間３７側から，下部コイルハウジング部１８と上部コイルハウジング部１９の間に形成されたコイル収容空間２３へ樹脂を充填するための樹脂充填口として機能する。連通口２０に代えて，又は，連通口２０に加えて，上部コイルハウジング部１９の適当な箇所に充填口を形成し，その充填口を介してコイル収容空間２３に樹脂を充填してもよい。
【００２４】
図４，５に示すように，下部ケーブルハウジング部２６の内側には，軸２５の周りに，下部ケーブルハウジング部２６の中央に中央円筒壁３８が形成されている。下部ケーブルハウジング部２６の内側にはまた，中央円筒壁３８の外側に，内側円筒壁３９と外側円筒壁４０が同心的に形成されており，内側円筒壁３９と外側円筒壁４０の間に内側導線通路４１が形成され，外側円筒壁４０と外周円筒壁３３の間に外側導線通路４２が形成されており，コイル１１の導体端部１６ａ，１６ｂが内側導線通路４１と外側導線通路４２にそれぞれ引き込まれている。外側円筒壁４０の一部は切除されており，これにより一方の導体端部１６ａが，内側導線通路４１に引き込まれるように構成されている。
【００２５】
図４に示すように，上部ケーブルハウジング部２７は，軸２５の周りに中央円筒壁４３が形成されている。
【００２６】
下部ケーブルハウジング部２６と上部ケーブルハウジング部２７は，下部ケーブルハウジング部２６に対して，上部ケーブルハウジング部２７が軸２５を中心として回転自在に連結される。そのために，例えば，図４に示すように，下部ケーブルハウジング部２６と上部ケーブルハウジング部２７は，それらの中央円筒壁３８，４３の内側に中空円筒カラー４４を挿通するとともに，該中空円筒カラー４４にボルト４５を挿通し，ボルト４５の下端と上端にストップリング４６，４７を取り付け，ボルト４５の下端にねじ４８を固定して連結される。
【００２７】
上部ケーブルハウジング部２７には，外周円筒壁３５の一部をその下端から切除して逆Ｕ状の開口５１が形成されており，該開口５１に装着されたブッシュ５２（図６参照）を介して，ケーブル１０が接続されている。ブッシュ５２は，上部ケーブルハウジング部２７内への突出量が出来るだけ小さくなるように設計されている。そのため，後述するように上部ケーブルハウジング部２７が下部ケーブルハウジング部２６に対して回転する際，ブッシュ５２がケーブル導線に接触して回転を邪魔する又は回転角を制限するということはない。
【００２８】
図６に示すように，ケーブルハウジング１４の外側に位置するケーブル部分はシース５３を備えているが，ケーブルハウジング１４の内側に位置するケーブル部分はシースが除かれ，絶縁被覆された一対のケーブル導線５４，５５が露出している。図示しないが，ケーブル導線５４，５５は，導電性金属からなる芯材と，その周囲を覆う絶縁材料の被覆を含む。ケーブルハウジング１４の内側に配置されたケーブル導線５４，５５は，軸２５を中心に螺旋状に配置されており，軸２５の周りに一周以上，同一方向に巻回されていることが好ましい。具体的に説明すると，図５に示すように，下部ケーブルハウジング部２６に収容されているケーブル導線５４，５５のそれぞれの部分は，一方が内側導線通路４１に配置され，他方が外側導線通路４２に配置されており，それぞれのケーブル導線５４，５５の両端導線部分が対応するコイル導体端部１６ａ，１６ｂに，適当な接続具５６，５７を介して電気的に接続されている。上部ケーブルハウジング部２７は，下部ケーブルハウジング部２６の円筒壁に相当する壁を備えていない。そのため，上部ケーブルハウジング部２７内に螺旋状に収容されているケーブル導線５４，５５のそれぞれの部分はその螺旋径を拡大・縮小できる。接続具５６，５７は，はんだ，圧着端子，専用コネクタのいずれであってもよい。
【００２９】
したがって，下部ケーブルハウジング部２６に対して上部ケーブルハウジング部２７及びこれに連結されたケーブル１０を回転すると，ケーブルハウジング１４内，特に上部ケーブルハウジング部２７に巻回収容されているケーブル導線５４，５５のそれぞれの部分は，回転方向に応じてその螺旋径が拡大又は縮小する。そのため，コイルユニット５の位置や方向を変えると，それに応じて，上部ケーブルハウジング部２７が下部ケーブルハウジング部２６に対して回転する。結果，コイルユニット５はケーブル１０に拘束されることなく任意の方向及び角度に向けることができるので，治療内容に最適の位置及び状態にコイルユニット５を設置できる。
【００３０】
ただし，下部ケーブルハウジング部２６に対して上部ケーブルハウジング部２７が過度に回転されるのを防止するために，図５に示すように，下部ケーブルハウジング部２６と上部ケーブルハウジング部２７にはそれぞれ対応する回転規制部５８，５９を設け，下部ケーブルハウジング部２６に対して上部ケーブルハウジング部２７は所定角度範囲でのみ回転できるようにしてもよい。具体的には，上部ケーブルハウジング部２７の回転時は，上部ケーブルハウジング部２７に設けた外周円筒壁３５の回転規制部５９が下部ケーブルハウジング部２６の回転規制部５８が接触することで，回転が規制される。好ましくは，この所定角度範囲は，例えば１４０〜１８０度（左右に±７０〜±９０度）である。
【００３１】
なお，図４に示すように，中空円筒カラー４４の長さ（高さ）を，上下ケーブルハウジング部２６，２７における中央円筒壁３８，４３の高さを足した長さよりも僅かに長くすることによって中央円筒壁３８，４３とストップリング４６，４７との間に僅かな隙間を設けることで，下部ケーブルハウジング部２６に対する上部ケーブルハウジング部２７の回転は，より少ない抵抗でスムーズに行われる。
【００３２】
本発明においては，コイルハウジング１３内に収容されたコイル１１の周囲の隙間に絶縁樹脂を充填するだけでなく，図７に示すように，ケーブルハウジング１４の内部に引き出されたコイルの導体端部１６ａ，１６ｂを樹脂６０で覆うことが好ましい。この実施形態によれば，ローレンツ力に起因して導体端部１６ａ，１６ｂがケーブルハウジング１４の中で振動することはない。したがって，磁気刺激用電流パルスを励磁コイルに印加すると，コイル導体が瞬間的にローレンツ力で変位し，電流を遮断すると原形に復帰する，といった振動動作が繰り返され，導体の疲労破壊や，導体の振動に起因する騒音が生じることがあるが，振動するコイル導体端部が他の部品（ハウジング，ケーブル）に接触してこれを損傷する，という問題がない。また，図示しないが，樹脂６０の上に，滑り性に優れた材料（例えば，ポリテトラフルオロエチレン，ポリエチレン，ポリアセタール）からなるシートを配置し，ケーブル導線５４，５５が充填樹脂６０から受ける摩擦を出来るだけ小さくすることが好ましい。
【００３３】
コイル導体端部１６ａ，１６ｂとともに，これに接続されたケーブル導線５４，５５の両端導線部分を，樹脂６０で覆うことが好ましい。この実施形態によれば，ローレンツ力に起因して振動するケーブル導線５４，５５が他の部品（ハウジング，ケーブル，他のケーブル部分）に接触して損傷するという問題がない。
【００３４】
下部ケーブルハウジング部２６に対する上部ケーブルハウジング部２７の自由な回転を阻害しないように，樹脂６０で覆われるケーブル導線５４，５５は，導体端部１６ａ，１６ｂとの接続部から所定の長さの領域に限ることが好ましい。例えば，図５に示すように，下部ケーブルハウジング部２６に収容されたケーブル導線５４，５５は，その両端導線部分が導体端部１６ａ，１６ｂに接続され，内側導線通路４１と外側導線通路４２の底部に沿って，例えば図中の反時計回り方向に配置される。さらに，ケーブル導線５４，５５は，内側導線通路４１と外側導線通路４２に沿って巻回されながら所定の高さまで上昇し，そこから樹脂６０の上に表れる（図７参照）。
【００３５】
樹脂６０から表れたケーブル導線部分（自由部分）が充填樹脂６０に接触するのを避けるために，図８に示すように，柔軟で滑り性に優れた樹脂（例えば，フッ素樹脂，シリコーンゴム，エラストマー）からなるケーブル導線案内ブロック６５を充填してもよい。この実施形態では，図示するように，ケーブル導線案内ブロック６５に２つの導線案内傾斜通路６６，６７を形成し，これらの傾斜通路６６，６７にケーブル導線５４，５５を収容することが好ましい。この場合，ローレンツ力に起因するケーブル導線５４，５５の振動は柔軟なブロック６５に吸収されるため，ケーブル導線５４，５５がハウジングや固化した樹脂に接触して損傷するということがない。また，樹脂６０に埋もれたケーブル部分（固定部分）と樹脂６０から浮き出たケーブル導線部分（自由部分）の境界には，ローレンツ力によって大きな繰り返し曲げ応力が作用することによって疲労する可能性があるが，柔軟なブロック６５によって保持されているため，固定部分と自由部分の境界に作用する繰り返し応力は最小限に抑えられる。
【００３６】
上述の実施形態は限定的なものでなく，種々改変可能である。
【００３７】
例えば，コイルは偏心渦巻き８字コイル以外のその他のコイル，例えば，円形コイル，非渦巻き型８字コイルであってもよい。
【００３８】
コイル導体端部とケーブル導線は，ケーブルハウジングの内部以外の場所，例えばコイルハウジングの内部で接続してもよい。
【００３９】
ケーブルハウジングの中で，コイル導体端部を覆う樹脂とケーブル導線を覆う樹脂は同じ樹脂でもよいし，異なる樹脂でもよい。後者の場合，ケーブル導線を覆う樹脂はコイル導体端部を覆う樹脂よりも柔らかい樹脂であってもよい。
【００４０】
ケーブルハウジングの中に樹脂を充填する場合，充填された樹脂と，樹脂に覆われていないケーブル導線の自由部分との接触を避けるために，充填された樹脂の表面を滑り性に優れた材料（例えば，フッ素系材料）のシート（図示せず）で覆うことが好ましい。
【００４１】
コイルハウジングの溝に収容するコイル導体の本数は１本又は２本に限らず，３本以上であってもよい。作業性と表皮効果を考慮した場合，溝に収容するコイル導体の本数は２本が好ましい。また，複数の導体を溝に配置する場合，これら複数の導体は上下方向に積層することが好ましい。
【００４２】
コイル１１は，四角形断面の導体に限らず，円形，三角形，五角形，その他の多角形の断面の導体であってもよい。また，コイル１１の導体に，平角線又はリッツ線を使用してもよい。
【００４３】
コイル１１は，絶縁被覆のあるコイルに限らず，絶縁被覆の無いコイルであってもよい。絶縁被覆の無いコイルの場合，螺旋の径方向に隣接する導体の間隔を小さくできるという利点がある。
【００４４】
ケーブルは，ケーブルハウジングに対してその放射方向からではなく，ケーブルハウジングの接線方向から連結してもよい。
【符号の説明】
【００４５】
１：経頭蓋磁気刺激システム
２：患者
３：患者支持機構（支持部）
４：磁気刺激装置
５：コイルユニット（コイル装置）
６：制御ユニット
７：位置決め機構
８：支持機構
１０：ケーブル
１１：コイル
１２：導線
１３：コイルハウジング
１４：ケーブルハウジング
１５：螺旋部
１６（１６ａ，１６ｂ）：導体端部
１８：下部コイルハウジング部
１９：上部コイルハウジング部
２１：上面形状
２２：下面形状
２３：コイル収容空間
２５：軸
２６：下部ケーブルハウジング部
２７：上部ケーブルハウジング部
２８：螺旋溝
２９：隙間
３０：樹脂
３１，３２：導体
３３：外周円筒壁
３４：底壁
３５：外周円筒壁
３６：天井壁
３７：ケーブル収容空間
３８：中央円筒壁
３９：内側円筒壁
４０：外側円筒壁
４１：内側導線通路
４２：外側導線通路
４３：中央円筒壁
４４：中空円筒カラー
４５：ボルト
４６，４７：ストップリング
４８：ねじ
５１：開口
５２：ブッシュ
５３：シース
５４，５５：ケーブル導線
５６，５７：接続具
５８，５９：回転規制部
６０：樹脂
６５：ブロック
６６，６７：傾斜通路
【図１】
2016171131.tif 000003
【図２】
2016171131.tif 000004
【図３】
2016171131.tif 000005
【図４】
2016171131.tif 000006
【図５】
2016171131.tif 000007
【図６】
2016171131.tif 000008
【図７】
2016171131.tif 000009
【図８】
2016171131.tif 000010
【図９】
2016171131.tif 000011
【図１０】
2016171131.tif 000012
【国際調査報告】
2016171131.tif 000013
2016171131.tif 000014
2016171131.tif 000015
2016171131.tif 000016